(57)【要約】【課題】使用する樹脂量を低減するとともに、落下衝撃等によるテープリールのフランジへのダメージを防止できるテープカートリッジを提供する。【解決手段】記録テープが巻回される有底円筒状のハブ８ａと、ハブ８ａの両端部の各々から径方向に張り出された円盤状の一対のフランジ７、８とを含むテープリール３０と、テープリール３０を回転可能に収納するケース２０とを含むテープカートリッジにおいて、ケース２０は、テープリールの上フランジ７の主面との対向面に、複数の凹部３１が形成されたものであり、複数の凹部３１は、ケース２０の上フランジ７の主面との対向面と、上フランジ７の中心軸との交点を中心とする、上フランジ７の外径より小さい径を有する円形状の領域内に配置されている。【選択図】図６
2010176779.tif 000002
【特許請求の範囲】
【請求項１】
記録テープが巻回される有底円筒状のハブと、前記ハブの両端部の各々から径方向に張り出された円盤状の一対のフランジとを含むテープリールと、
前記テープリールを回転可能に収納するケースとを含むテープカートリッジにおいて、
前記ケースは、前記テープリールの少なくとも一方のフランジの主面との対向面に、複数の凹部が形成されたものであり、
前記複数の凹部は、前記ケースの前記フランジの主面との対向面と、前記フランジの中心軸との交点を中心とする、前記フランジの外径より小さい径を有する円形状の領域内に配置されていることを特徴とするテープカートリッジ。
【請求項２】
前記複数の凹部は、前記ケースの前記フランジの主面との対向面と、前記フランジの最外周のエッジとが接触可能な領域を避けて配置されている請求項１に記載のテープカートリッジ。
【請求項３】
前記複数の凹部は、前記ケースの前記フランジの主面との対向面を平面視したときに、前記ケースの中心側から前記ケースの周壁側に向かって放射状に配置されている請求項１または２に記載のテープカートリッジ。
【請求項４】
前記凹部の形状は、前記ケースの前記フランジの主面との対向面を平面視したときに、前記ケースの中心側から前記ケースの周壁側に向かって幅が広くなる扇形である請求項３に記載のテープカートリッジ。
【請求項５】
前記複数の凹部を形成したことにより隣り合う２つの凹部の間に形成された複数の凸部のうち、長手方向がカートリッジ挿入方向と平行となる凸部の幅は、その他の凸部の幅より広い請求項４に記載のテープカートリッジ。
【発明の詳細な説明】
【技術分野】
【０００１】
本発明は、記録テープが巻回されたテープリールを回転可能に収容したテープカートリッジに関する。
【背景技術】
【０００２】
近年の地球環境問題等の重要性に鑑み、テープカートリッジに使用する樹脂の重量の低減化が要望されている。その対策の一つとして、テープカートリッジのケースの薄肉化が提案されている。ただし、単純な薄肉化だけでは所望の剛性が確保できないため、例えば、ケースに補強用のリブを設ける方法が提案されている（特許文献１）。
【０００３】
ここで、補強用のリブが設けられた従来のテープカートリッジについて図面を参照しながら説明する。図８は、従来のテープカートリッジの平面図であり、図８において矢印１２１はカートリッジ挿入方向を示している。図９は、図８に示すテープカートリッジのII
−II拡大断面図である。
【０００４】
図８に示すテープカートリッジは、記録テープが巻回されるテープリール１１０と、テープリール１１０を回転可能に収納するケース１００とを備える。
【０００５】
ケース１００は、一主面が開口された中空の略直方体形状の一対の上ケース１０１及び下ケース１０４を、互いの周壁部分で当接させ、これらをネジ部材により接合させた箱状体である。下ケース１０４は、ドライブ装置の駆動ギア（図示せず）を挿入可能な開口１０４ａを有する。上ケース１０１は、テープリール１１０の上フランジ１１２の主面との対向面に、リブ１０２及び１０３を有する。この上ケース１０１の底面図を図１０に示す。図１０に示すように、リブ１０２は、後述するリールロック機構のリールバネの一端を支持する円環状リブであり、リブ１０３は、円環状リブ１０２の外周から径方向外側に向かって放射状に複数立設され、上ケース１０１の剛性を確保あるいは向上させている。
【０００６】
上ケース１０１、下ケース１０４、及びテープリール１１０の材料として、ポリカーボネート樹脂、ガラス繊維入りのポリカーボネート樹脂、ポリスチレン樹脂、アクリロニトリル・スチレン樹脂、アクリロニトリル・ブタジエン・スチレン樹脂などの合成樹脂が使用される。
【０００７】
テープリール１１０は、記録テープが巻回される有底円筒状のハブ１１３ａと、ハブ１１３ａの両端部の各々から径方向に張り出された円盤状の一対の上下フランジ１１２、１１３とを有し、ケース１００の内部に形成された空間に収納されている。ハブ１１３ａと下フランジ１１３とは一体成形されている。
【０００８】
ハブ１１３ａの底部の外側表面には、ドライブ装置の駆動ギア（図示せず）と噛合可能なリールギア１１４が形成されている。リールギア１１４は、下ケース１０４の開口１０４ａからケース１００外に露出されている。
【０００９】
ハブ１１３ａの内側の空洞部分には、テープリール１１０の回転を規制可能なリールロック機構（図示せず）が収納される。不使用時には、テープリール１１０は、リールロック機構により回転しないように規制（ロック）される。使用時には、リールロック機構による上記ロックが解除され、下ケース１０４の開口１０４ａからケース１００内に挿入されるドライブ装置の駆動ギアと、リールギア１１４とが噛み合った状態で、テープリール１１０が回転する。テープリール１１０が回転すると、ハブ１１３ａの外周面に記録テープが巻回され、あるいは、ハブ１１３ａの外周面に巻回された記録テープが巻き戻される。
【先行技術文献】
【特許文献】
【００１０】
【特許文献１】特開２００４−９５０６８号公報
【発明の概要】
【発明が解決しようとする課題】
【００１１】
しかしながら、落下衝撃等によりケース１００内でテープリール１１０が可動し、図１１に示すように、テープリール１１０を構成する上フランジ１１２の上ケース１０１に対向する側の主面が、上ケース１０１に設けられたリブ１０３のエッジ１０３ａと衝突（接触）した場合、その衝突部位で上フランジ１１２に打痕傷が発生する。この打痕傷により生じた粉砕物が、ハブ１１３ａの外周面に巻回される記録テープに付着すると、ドロップアウトの増加等の品質問題を引き起こすという問題が生じる。
【００１２】
本発明は、使用する樹脂量を低減するとともに、落下衝撃等によるテープリールのフランジへのダメージを防止できるテープカートリッジを提供することを目的としている。
【課題を解決するための手段】
【００１３】
上記課題を解決するために、本発明のテープカートリッジは、記録テープが巻回される有底円筒状のハブと、前記ハブの両端部の各々から径方向に張り出された円盤状の一対のフランジとを含むテープリールと、前記テープリールを回転可能に収納するケースとを含むテープカートリッジにおいて、前記ケースは、前記テープリールの少なくとも一方のフランジの主面との対向面に、複数の凹部が形成されたものであり、前記複数の凹部は、前記ケースの前記フランジの主面との対向面と、前記フランジの中心軸との交点を中心とする、前記フランジの外径より小さい径を有する円形状の領域内に配置されていることを特徴とする。
【発明の効果】
【００１４】
本発明によれば、ケースの剛性を確保しつつ軽量化できるとともに、落下衝撃等によるテープリールのフランジへのダメージを防止できる。
【図面の簡単な説明】
【００１５】
【図１】本発明の実施形態に係るテープカートリッジの分解斜視図である。
【図２】本発明の実施形態に係るテープカートリッジのケースの斜視図である。
【図３】本発明の実施形態に係るテープカートリッジの上ケースを底面側から見たときの斜視図である。
【図４】本発明の実施形態に係るテープカートリッジの上ケースの底面図である。
【図５】本発明の実施形態に係るテープカートリッジの平面図である。
【図６】図５に示したテープカートリッジのＩ−Ｉ拡大断面図である。
【図７】図６においてテープリールが傾いた状態を示す断面図ある。
【図８】従来のテープカートリッジの平面図である。
【図９】図８に示したテープカートリッジのII−II拡大断面図である。
【図１０】従来のテープカートリッジの上ケースの底面図である。
【図１１】図１０においてテープリールが傾いた状態を示す断面図である。
【発明を実施するための形態】
【００１６】
以下、本発明の実施形態について、図面を参照しながら説明する。図１は、本実施形態に係るテープカートリッジの分解斜視図であり、図２は本実施形態に係るテープカートリッジのケースの斜視図である。
【００１７】
図１に示す本実施形態のテープカートリッジは、上ケース１、板バネ２、リールバネ３、リールロック４、ロック解除具６、テープリール３０、インサート金具９、ドアバネ１０、ライトプロテクト１１、ドア１２、下ケース１３、カートリッジメモリ１４、ネジ１５、板バネ１６、クランプ１７、及びリーダピン１８を備えている。
【００１８】
上ケース１及び下ケース１３は、一主面が開口された中空の直方体形状に形成されている。このような形状の上ケース１及び下ケース１３を、互いの周壁部分で当接させ、これらをネジ１５により接合させると、図２に示すような箱状体のケース２０が形成される。ケース２０の内部に形成された空間には、テープリール３０が回転可能に収納される。
【００１９】
テープリール３０は、記録テープが巻回される有底円筒状のハブ８ａと、ハブ８ａの両端部の各々から径方向に張り出された円盤状の一対の上下フランジ７、８とを有する。ハブ８ａと下フランジ８とは一体成形されている。
【００２０】
上ケース１、下ケース１３、及びテープリール３０の材料として、合成樹脂が使用される。合成樹脂には、例えば、ポリカーボネート樹脂、ガラス繊維入りのポリカーボネート樹脂、ポリスチレン樹脂、アクリロニトリル・スチレン樹脂、アクリロニトリル・ブタジエン・スチレン樹脂などが含まれる。
【００２１】
図３は、上ケース１を底面側から見たときの斜視図である。上ケース１は、図１に示すテープリール３０の上フランジ７の主面との対向面に、複数の凹部３１と、円環状リブ３３と、係止部３４とを備えている。複数の凹部３１を備えることで、上ケース１を軽量化できるとともに、隣り合う凹部３１間に形成された凸部により、上ケース１の剛性が確保または向上される。
【００２２】
複数の凹部３１は、上ケース１の上フランジ７の主面との対向面と、図１に示すテープリール３０の上フランジ７の中心軸との交点を中心とする、上フランジ７の外径より小さい径を有する円形状（図３では、Ｌ１を直径とする円）の領域内に配置されている。また、複数の凹部３１は、図２のテープカートリッジのケース２０内で図１のテープリール３０が可動したときに、上ケース１の上フランジ７の主面との対向面と上フランジ７の最外周のエッジとが接触する可能性のある領域３２を避けて配置されることが望ましい。凹部３１が領域３２に形成されると、隣り合う２つの凹部３１の間に形成される凸部が、図１のテープリール３０の上フランジ７と接触する可能性があり、接触すると、接触部分でテープリール３０に打痕傷が発生するからである。凹部３１の溝の深さは０．５ｍｍ以下であることが好ましい。隣り合う２つの凹部３１の間に形成される凸部の幅は、３〜１５ｍｍの範囲内であることが好ましく、凸部の本数は６〜１２本であることが好ましい。
【００２３】
円環状リブ３３は、図１のリールバネ３の一端を支持する。
【００２４】
係止部３４は、十字状の突起であり、図１のリールロック４の係止溝４ａに挿入され、リールロック４が回転しない状態で図１において上下方向（テープリール３０の中心軸方向）に移動可能なように設置される。
【００２５】
図４は、図１の上ケース１の底面図である。ここでは、説明の都合上、凹部３１以外の構成要素、例えば、図３で示した円環状リブ３３、係止部３４等を省略し、簡略化している。
【００２６】
複数の凹部３１は、上ケース１の上フランジ７の主面との対向面を平面視したときに、上ケース１の中心側から上ケース１の周壁側に向かって放射状に配置されている。また、複数の凹部３１を形成したことにより隣り合う２つの凹部３１の間に形成される複数の凸部３５ａ、３５ｂのうち、長手方向がカートリッジ挿入方向２１と平行となる凸部３５ａの幅を、その他の凸部３５ｂの幅より広くした。これにより、カートリッジ挿入方向における上ケース１の剛性を確保しつつ軽量化できる。
【００２７】
凹部３１の形状は、上ケース１の上フランジ７の主面との対向面を平面視したときに、上ケース１の中心側から上ケース１の周壁側に向かって幅が広くなる扇形である。
【００２８】
図５は、本実施形態に係るテープカートリッジの平面図であり、図６は、図５に示すテープカートリッジのI−I拡大断面図である。図６では、ケース２０内に、テープリール
３０が収納されている様子を示しており、リールロック機構などの他の構成要素については省略した。また、図６において、上ケース１の上フランジ７の主面との対向面の構造は図４に示すものとした。
【００２９】
ハブ８ａの底部の外側表面には、ドライブ装置の駆動ギア（図示せず）と噛合可能なリールギア１９が形成されている。リールギア１９は、下ケース１３の開口１３ａからケース２０外に露出されている。
【００３０】
ハブ８ａの内側の空洞部分には、図１のリールバネ３、リールロック４、ボール５、ロック解除具６を含むリールロック機構が収容される（図５では図示せず）。不使用時には、テープリール３０は、図１のリールバネ３により、下ケース１３側に押圧され、テープリール３０の回転が規制（ロック）される。使用時には、ドライブ装置の駆動ギア（図示せず）を下ケース１３の開口１３ａからケース２０内に挿入し、このドライブ装置の駆動ギア（図示せず）をリールギア１９と噛み合わせながら上ケース１側に押し上げると、それに追従して図１のロック解除具６も上ケース１側に押し上げられ、上記ロックが解除される。そして、ドライブ装置の駆動ギア（図示せず）を、リールギア１９と噛み合った状態で回転駆動させると、テープリール３０が回転する。テープリール３０が回転すると、ハブ８ａの外周面に記録テープが巻回され、あるいは、ハブ８ａの外周面に巻回された記録テープが巻き戻される。
【００３１】
ケース２０内でテープリール３０は輸送時や落下衝撃時に全方向においてがたつく可能性はあるが、上述した通り、複数の凹部３１は、ケース２０内でテープリール３０が可動したときに、上ケース１の上フランジ７との対向面と上フランジ７の最外周のエッジとが接触する可能性のある領域３２を避けて配置されている。そのため、落下衝撃等によりケース２０内でテープリール３０が可動し、図７に示すようにテープリール３０の上フランジ７のエッジ７ａが上ケース１と衝突した場合、上フランジ７のエッジ７ａは、上ケース１の上フランジ７の主面との対向面における凹部３１が設けられていない領域３２に接触し、凹部３１が設けられている領域には接触しない。すなわち、上フランジ７は、隣り合う２つの凹部３１の間に形成された凸部（図４における３５ａ、３５ｂ）と接触することがないので、テープリール３０の上フランジ７に打痕傷が生成することを防止できる。
【００３２】
なお、上記実施形態では、ケース２０内に単一のテープリール３０を収容する単リール型のテープカートリッジである構成としたが、本発明はこれに限定されない。本発明のテープカートリッジは、複数のテープリール３０を収容する複リール型のテープカートリッジにも適用可能である。
【００３３】
また、上記実施形態では、複数の凹部３１を上ケース１のみに形成する場合について説明したが、本発明はこれに限定されない。たとえば、下ケース１３のみに複数の凹部３１を形成しても良いし、上下ケース１、１３の両方に形成しても良い。
【００３４】
また、凹部３１の配置位置及び形状についても、上記実施形態に限定されるものではないが、ケースの軽量化を考えた場合、凹部３１が放射状に配置され、凹部３１の形状が扇形であることが望ましい。
【産業上の利用可能性】
【００３５】
本発明のテープカートリッジは、ケースの剛性を確保しつつ軽量化できるとともに、落下衝撃等によるテープリールのフランジへのダメージを防止できるため、例えば、記録再生装置等に利用可能である。
【符号の説明】
【００３６】
１  上ケース
２  板バネ
３  リールバネ
４  リールロック
４ａ  係止溝
６  ロック解除具
７  上フランジ
７ａ  エッジ
８  下フランジ
８ａ  ハブ
９  インサート金具
１０  ドアバネ
１１  ライトプロテクト
１２  ドア
１３  下ケース
１３ａ  開口
１４  カートリッジメモリ
１５  ネジ
１６  板バネ
１７  クランプ
１８  リーダピン
１９  リールギア
２０  ケース
２１  カートリッジ挿入方向
３０  テープリール
３１  凹部
３２  テープリール３０と接触する可能性のある領域
３３  円環状リブ
３４  係止部
３５ａ、３５ｂ  凸部
１００  ケース
１０１  上ケース
１０２  円環状リブ
１０３  リブ
１０３ａ  エッジ
１０４  下ケース
１０４ａ  開口
１１０  テープリール
１１２  上フランジ
１１３  下フランジ
１１３ａ  ハブ
１１４  リールギア
１２１  カートリッジ挿入方向
【図１】
2010176779.tif 000003
【図２】
2010176779.tif 000004
【図３】
2010176779.tif 000005
【図４】
2010176779.tif 000006
【図５】
2010176779.tif 000007
【図６】
2010176779.tif 000008
【図７】
2010176779.tif 000009
【図８】
2010176779.tif 000010
【図９】
2010176779.tif 000011
【図１０】
2010176779.tif 000012
【図１１】
2010176779.tif 000013